(57)【要約】【課題】屋内壁部のスペース効率を良好なものとすることにより、空間の有効活用が出来、電力用の分電盤と、情報用の分電盤とを一カ所に集約することが出来る配線構造を提供する。【解決手段】電力用分電盤２には、屋外から電力が供給される電源線３が接続されると共に、この配電器具集中収納スペース１４内に設けれられる各分岐ボックス１５ａ，１５ｂ及び１６と接続されるように分岐された電線１７，１８，１９が、各々設けられている。  各分岐ボックス１５ａ，１５ｂ及び１６で分岐された各電線２５…,２６…,２７…が、二重床２０の床下２０ａを経由して、他の各室Ｒ１…の負荷としての電灯８,８及びコンセント９…等に接続されている。  電線１７〜１９は、情報用分岐ボックス２２の側縁２２ａに沿って、上階居室用の電線２８…と共に、纏められている。【選択図】図１
2008048552.tif 000002
【特許請求の範囲】
【請求項１】
建物の屋内壁部上方に、電力用分電盤を設けると共に、該電力用分電盤の下方に、情報用分電盤を設け、更に、該情報用分電盤の下方に前記電力用分電盤から分岐された電線に接続された分岐ボックスが設けられて、該分岐ボックスで分岐された各電線が、床下を経由して、前記建物の各室の負荷に接続されることを特徴とする配線構造。
【請求項２】
前記電力用分電盤から分岐されて、前記分岐ボックスに接続される電線は、前記情報用分岐ボックスの側縁に沿って纏められていることを特徴とする請求項１記載の配線構造。
【発明の詳細な説明】
【技術分野】
【０００１】
本発明は、建物の内装に用いられて、効率良く、情報用配線と、電力用配線とを収納できる配線構造に関するものである。
【背景技術】
【０００２】
従来、図５に示すような配線構造が知られている（例えば、特許文献１等参照）。
【０００３】
このようなものでは、建物としての住戸の屋内壁部１内に設けられた電力用分電盤２には、屋外から電力を供給する電源線３，３が接続されると共に、この部屋Ｒの電灯８及び、各コンセント９…に電力を分配する分岐ボックス４，５が、各々設けられている。
【０００４】
この分岐ボックス４，５から延設される個別配線６，７は、屋内壁部１内に配索されて、前記電力用分電盤２及び分岐ボックス４，５を覆う配線パネル１０及び、内装パネル１１…によって、覆われている。
【特許文献１】特開平８−２９８７１３号公報（段落００１０乃至００２４、図１）
【発明の開示】
【発明が解決しようとする課題】
【０００５】
しかしながら、このような従来の配線構造では、屋内壁部１内に、電力用の電力用分電盤２と、各分岐ボックス４，５が、設けられていて、これらの各分岐ボックス４，５から、個別配線６，７を介して、前記部屋Ｒの電灯８及び、各コンセント９…に電力が分配される。
【０００６】
このように、各電線６…，７…が、住戸内の各負荷、例えば、住戸の各部屋Ｒ…の電灯８…及び、各コンセント９…毎に設けられているので、電線６…，７…の数量が膨大（一住戸で、数十本）となり、屋内壁部１内が、これらの電線６…，７…で、占有されてしまっていた。
【０００７】
このため、これらの電線６…，７…等の電力用配線に加えて、近年増大する情報用配線及び、情報用分電盤等の情報用器具等を一カ所にまとめて、収納することが困難であるといった問題があった。
【０００８】
そこで、この発明は、屋内壁部のスペース効率を良好なものとすることにより、空間の有効活用が出来、電力用の分電盤と、情報用の分電盤とを一カ所に集約することが出来る配線構造を提供することを課題としている。
【課題を解決するための手段】
【０００９】
上記目的を達成するために、請求項１に記載された発明は、建物の屋内壁部上方に、電力用分電盤を設けると共に、該電力用分電盤の下方に、情報用分電盤を設け、更に、該情報用分電盤の下方に前記電力用分電盤から分岐された電線に接続された分岐ボックスが設けられて、該分岐ボックスで分岐された各電線が、床下を経由して、前記建物の各室の負荷に接続される配線構造を特徴としている。
【００１０】
また、請求項２に記載されたものは、前記電力用分電盤から分岐されて、前記分岐ボックスに接続される電線は、前記情報用分岐ボックスの側縁に沿って纏められている請求項１記載の配線構造を特徴としている。
【発明の効果】
【００１１】
このように構成された本願発明の請求項１記載のものは、前記屋内壁部に設けられる前記電力用分電盤，情報用分電盤及び分岐ボックスを収納するスペース内では、各分岐ボックスを建物の室（又はゾーン）毎の負荷に振り分けることにより、電線の数量を室数程度に抑制できる。
【００１２】
このため、屋内壁部のスペース効率が良好なものとなり、前記電力用分電盤と、前記情報用分電盤及び該分岐ボックスを縦並びに設けることが可能となる。
【００１３】
従って、前記電力用分電盤と、前記情報用分電盤とが、一カ所に集約されて、メンテナンス等が容易に行えるようになる。
【００１４】
また、前記分岐ボックスから分岐される各室の負荷に接続される電線は、従来の壁内に比して比較的広いスペースを確保できる床下に、配索されるので、本数が多くなっても、対応できると共に、転がし配線で良い場合は、施工も容易に行える。
【００１５】
更に、例えば、建物が、ＲＣ建築物で、二重床構造を有する場合には、床の上面に内壁若しくは、間仕切りが立つ構造（いわゆる床勝ち）なので、各室を区切る間仕切りが邪魔にならず、異なる室（又はゾーン）への電線の配索が容易に行える。
【００１６】
そして、前記情報用分電盤は、上下方向略中央に、また、前記分岐ボックスは、比較的低い位置に設けられているので、電線の接続作業等を、比較的楽な姿勢で行えて、作業効率を良好なものとすることができる。
【発明を実施するための最良の形態】
【００１７】
次に、図面に基づいて、この発明を実施するための最良の実施の形態の配線構造について説明する。
【００１８】
図１乃至図４は、この発明の実施の形態の配線構造を示すものである。
【００１９】
なお、前記従来例と同一乃至均等な部分については、同一符号を付して説明する。
【００２０】
まず、構成から説明すると、この実施の形態では、建物としての二重床２０を有するＲＣ建築物１２の屋内壁部１３内には、図２に示すような配電器具集中収納スペース１４が、室Ｒ内側に開口されて、凹設形成されている。
【００２１】
この配電スペース１４のうち、上方には、図１に示すように、電力用分電盤２が設けられている。
【００２２】
この電力用分電盤２には、屋外から電力が供給される電源線３が接続されると共に、この配電器具集中収納スペース１４内に設けれられる各分岐ボックス１５ａ，１５ｂ及び１６と接続されるように分岐された電線１７，１８，１９が、各々設けられている。
【００２３】
また、この電力用分電盤２の下方には、情報用分電盤２２が設けられている。
【００２４】
この情報用分電盤２２には、電話線、光ケーブル若しくは、ＣＡＴＶ線等の情報用引込線２１が接続されると共に、各室Ｒ，Ｒ１…に個別に情報を給配信する電話線２３及びＬＡＮケーブル２４…が設けられている。
【００２５】
そして、更に、前記情報用分電盤２２の下方には、前記電力用分電盤２から分岐された電線１７,１８,１９に接続されて、前記分岐ボックス１５ａ，１５ｂ及び１６が、水平方向に並べられて設けられている。
【００２６】
また、各分岐ボックス１５ａ，１５ｂ及び１６で分岐された各電線２５…,２６…,２７…が、前記二重床２０の床下２０ａを経由して、図４に示すように、他の各室Ｒ１…の負荷としての電灯８…及びコンセント９…等に接続されている。
【００２７】
更に、この実施の形態では、前記分岐ボックス１６から分岐された上階居室用の電線２８…が、前記情報用分岐ボックス２２の側縁に沿って、上方に向けて延設されている。
【００２８】
そして、前記電力用分電盤２２から分岐されて、前記分岐ボックス１５ａ，１５ｂ,１６に接続される電線１７〜１９は、前記情報用分岐ボックス２２の側縁２２ａに沿って、前記上階居室用の電線２８…と共に、纏められている。
【００２９】
また、この実施の形態では、前記配線器具集中収納スペース１４の開口部に、一枚の蓋体３０が、開閉塞可能に設けられている。
【００３０】
この蓋体３０は、前記電力用分電盤２,前記情報用分電盤２２及び前記分岐ボックス１５ａ，１５ｂ及び１６を全て覆うと共に、メンテナンス開口部３０ａを上部に開口形成することにより、前記電力用分電盤２のメータ部２ａ等を一部、室Ｒ側に露出させている。
【００３１】
次に、この実施の形態の配線構造の作用効果について説明する。
【００３２】
前記屋内壁部１３に設けられる前記電力用分電盤２，情報用分電盤２２及び分岐ボックス１５ａ，１５ｂ及び１６を収納する器具集中収納スペース１４内では、各分岐ボックス１５ａ，１５ｂ及び１６を、ＲＣ建築物１２の室（又はゾーン）毎の負荷に振り分けることにより、各一本づつの電線１７,１８,１９で、各分岐ボックス１５ａ，１５ｂ及び１６まで、結線出来る。
【００３３】
このため、この器具集中収納スペース１４の下方位置で、二重床２０近傍位置まで、電線の数量を室Ｒ１…数程度に抑制できる。
【００３４】
このため、屋内壁部１３内のスペース効率が良好なものとなり、前記電力用分電盤２と、前記情報用分電盤２２及び分岐ボックス１５ａ，１５ｂ及び１６を、器具集中収納スペース１４内に縦並びに設けることが可能となる。
【００３５】
従って、前記電力用分電盤２と、前記情報用分電盤２２とが、一カ所に集約されて、メンテナンス等が容易に行えるようになる。
【００３６】
また、前記分岐ボックス１５ａ，１５ｂ及び１６から分岐される各室Ｒ１の負荷に接続される電線は、従来の壁内に比して比較的広いスペースを確保できる床下２０ａに、配索されるので、本数が多くなっても、対応できると共に、転がし配線で良い場合は、施工も容易に行える。
【００３７】
更に、例えば、建物が、ＲＣ建築物１２で、二重床構造を有するこの実施の形態では、床の上面に内壁若しくは、間仕切りが立つ構造（いわゆる床勝ち）なので、各室Ｒ,Ｒ１間を区切る間仕切りが邪魔にならず、図４に示すように、異なる室Ｒ１（又はゾーン）への電線２５,２６,２７の配索が容易に行える。
【００３８】
そして、前記情報用分電盤２２は、上下方向略中央に、また、前記分岐ボックス１５ａ，１５ｂ及び１６は、比較的低い位置に設けられているので、電線１７,１８,１９及び２５,２６,２７若しくは２８の接続作業等を、比較的楽な姿勢で行えて、作業効率を良好なものとすることができる。
【００３９】
しかも、この実施の形態では、図２に示すように、前記電力用分電盤２のメータ部２ａ等を一部、室Ｒ側に露出させている一枚の蓋体３０が、前記電力用分電盤２,前記情報用分電盤２２及び前記分岐ボックス１５ａ，１５ｂ及び１６を全て、開閉塞可能に覆っている。
【００４０】
このため、メンテナンス開口部３０ａを介して、若しくは、この蓋体３０を取り外して、集中して、メンテナンスを行うことが出来、更に作業性が良好である。
【００４１】
以上、図面を参照して、本発明の実施の形態を詳述してきたが、具体的な構成は、この実施の形態に限らず、本発明の要旨を逸脱しない程度の設計的変更は、本発明に含まれる。
【００４２】
即ち、前記実施の形態では、分岐ボックス１５ａ，１５ｂ及び１６を３つ、水平方向に並設しているが、特にこれに限らず、前記情報用分電盤２２の下方に位置するものであれば、形状,数量及び材質等が特に限定されるものではない。
【図面の簡単な説明】
【００４３】
【図１】この発明の最良の実施の形態の配線構造で、要部の拡大斜視図である。
【図２】実施の形態の配線構造で、配電器具集中収納スペースが設けられた室の屋内壁部構造を説明する分解斜視図である。
【図３】実施の形態の配線構造に用いる配線器具の配置を示す模式的な平面図である。
【図４】実施の形態の配線構造を適用したＲＣ建築物の他の室の一部断面斜視図である。
【図５】従来例の配線構造で、屋内壁部内に個別配線を配索する様子を説明した一部断面斜視図である。
【符号の説明】
【００４４】
２          電力用分電盤
３          電源線
１２        ＲＣ建築物
１３        屋内壁部
１４        配線器具集中収納スペース
１５ａ，１５ｂ，１６    分岐ボックス
１７〜１９  電線（収納スペース内）
２０        二重床
２０ａ      床下
２２        情報用分電盤
２２ａ      側縁
２５〜２８  電線（各室用）
【図１】
2008048552.tif 000003
【図２】
2008048552.tif 000004
【図３】
2008048552.tif 000005
【図４】
2008048552.tif 000006
【図５】
2008048552.tif 000007